(57)【要約】【課題】電源回路から出力される制御回路の電源電圧の低下があったときに組電池に生じる過放電又は過充電を防止できる均等化装置を提供する。【解決手段】均等化ユニット２が、高圧バッテリＢＨを構成する互いに直列接続された複数の単位セルＣ１〜Ｃｎをそれぞれ放電して各単位セルＣ１〜Ｃｎの両端電圧を均等化する均等化動作を行う。低圧側マイコン３１が、均等化ユニット２の制御を行う。５Ｖ電源３３が、高圧バッテリＢＨよりも電池電圧の低い１２Ｖ補機バッテリＢＬから制御ユニット３の５Ｖ電源電圧を生成して、制御ユニット３に供給する。５Ｖ電源低下検出回路３４が、５Ｖ電源３３から出力される５Ｖ電源電圧の低下を検出すると均等化ユニット２による均等化動作を停止させる。【選択図】図１
2010263733.tif 000002
【特許請求の範囲】
【請求項１】
組電池を構成する互いに直列接続された複数の単位セルをそれぞれ放電して各単位セルの両端電圧を均等化する均等化動作を行う均等化回路と、前記均等化回路の制御を行う制御回路と、前記組電池よりも電池電圧が低い低圧バッテリから前記制御回路の電源電圧を生成して、前記制御回路に供給する電源回路と、を備えた均等化装置において、
前記電源回路から出力される電源電圧の低下を検出すると前記制御回路による制御が効かなくなる前に前記均等化回路による均等化動作を停止させる停止回路を備えた
ことを特徴とする均等化装置。
【請求項２】
前記停止回路が、前記電源回路から出力される電源電圧の低下を検出すると前記低圧バッテリから単パルスを生成して前記均等化回路に対して出力して均等化動作を停止させるように設けられている
ことを特徴とする請求項１に記載の均等化装置。
【発明の詳細な説明】
【技術分野】
【０００１】
本発明は、均等化装置に係り、特に、組電池を構成する互いに直列接続された複数の単位セルをそれぞれ放電して各単位セルの両端電圧を均等化する均等化動作を行う均等化回路と、前記均等化回路の制御を行う制御回路と、前記組電池よりも電池電圧が低い低圧バッテリから前記制御回路の電源電圧を生成して、前記制御回路に供給する電源回路と、を備えた均等化装置に関するものである。
【背景技術】
【０００２】
近年、エンジンと電動モータとを併用して走行するハイブリッド自動車（以下ＨＥＶ）が普及してきている。このＨＥＶは、上記エンジン始動用の１２Ｖ程度の低圧バッテリと、上記電動モータ駆動用の組電池としての高圧バッテリと、の２種類のバッテリを備えている。上述した高圧バッテリは、ニッケル−水素電池やリチウム電池といった二次電池を単位セルとして、この単位セルを複数直列接続して高電圧を得ている。
【０００３】
上述した高圧バッテリは充放電を繰り返すうちに各単位セルの両端電圧、即ち充電状態（ＳＯＣ）にばらつきが生じる。バッテリの充放電にあたっては、各単位セルの耐久性や安全確保の観点より、ＳＯＣ（又は両端電圧）の最も高い単位セルが設定上限ＳＯＣ（又は上限両端電圧値）に到達した時点で充電を禁止し、ＳＯＣ（又は両端電圧）の最も低い単位セルが設定下限ＳＯＣ（又は下限両端電圧値）に到達した時点で放電を禁止する必要がある。従って、各単位セルにＳＯＣのバラツキが生じると、実質上、バッテリの使用可能容量が減少することになる。このため、ＨＥＶにおいては、登坂時にガソリンに対してバッテリエネルギーを補充したり、降坂時にバッテリにエネルギーを回生したりする、いわゆるアシスト・回生が不十分となり、実車動力性能や燃費を低下させることになる。そこで、各単位セルを充電又は放電して各単位セルの両端電圧を均等化する均等化装置が提案されている（例えば特許文献１）。
【０００４】
特許文献１に記載されている均等化装置は、均等化回路と、この均等化回路を制御する制御回路としてのマイコンと、このマイコンに電源電圧（５Ｖ）を供給する電源回路としての５Ｖ電源と、を備えている。上記均等化回路としては、例えば、両端電圧が高い単位セルを放電して均等化する放電方式が提案されている。上記マイコンは、均等化回路の均等化動作の開始、停止などを制御する。上記５Ｖ電源は、例えば１２Ｖの低圧バッテリからマイコンの電源電圧（５Ｖ）を生成して、マイコンに供給する。
【０００５】
しかしながら、上述した従来の均等化装置では、マイコンが均等化回路による均等化動作を開始させた後に、５Ｖ電源から出力される電源電圧が低下してマイコンが機能しなくなると、正常な均等化動作を保証できなくなり、誤動作が生じる恐れがある。このように誤動作が生じると、放電方式の均等化回路にあっては、例えば単位セルが過放電されるなどの問題が生じる。
【先行技術文献】
【特許文献】
【０００６】
【特許文献１】特開２００８−１９３７５７号公報
【発明の概要】
【発明が解決しようとする課題】
【０００７】
そこで、本発明は、電源回路から出力される制御回路の電源電圧が低下して制御回路により正常な制御ができなくなることに対して適切に対処することができる均等化装置を提供することを課題とする。
【課題を解決するための手段】
【０００８】
上記課題を解決するためになされた請求項１記載の発明は、組電池を構成する互いに直列接続された複数の単位セルをそれぞれ放電して各単位セルの両端電圧を均等化する均等化動作を行う均等化回路と、前記均等化回路の制御を行う制御回路と、前記組電池よりも電池電圧が低い低圧バッテリから前記制御回路の電源電圧を生成して、前記制御回路に供給する電源回路と、を備えた均等化装置において、前記電源回路から出力される電源電圧の低下を検出すると前記制御回路による制御が効かなくなる前に前記均等化回路による均等化動作を停止させる停止回路を備えたことを特徴とする均等化装置に存する。
【０００９】
請求項２記載の発明は、前記停止回路が、前記電源回路から出力される電源電圧の低下を検出すると前記低圧バッテリから単パルスを生成して前記均等化回路に対して出力して均等化動作を停止させるように設けられていることを特徴とする請求項１に記載の均等化装置に存する。
【発明の効果】
【００１０】
以上説明したように請求項１記載の発明によれば、停止回路が、電源回路から出力される電源電圧の低下を検出すると均等化回路による均等化動作を停止させるので、電源回路から出力される制御回路の電源電圧の低下があったときに均等化回路の誤動作を防止して、組電池に生じる過放電を防止できる。これにより、電源回路から出力される制御回路の電源電圧が低下して制御回路により正常な制御ができなくなることに対して適切に対処することができる。また、電源回路から出力される電源電圧の低下を検出することにより、低圧バッテリの低下のみならず電源回路の故障による電源電圧の低下があった場合も均等化回路による均等化動作を停止させて、適切に対処することができる。
【００１１】
請求項２記載の発明によれば、停止回路が、電源回路から出力される電源電圧の低下を検出すると低圧バッテリから単パルスを生成して均等化回路に対して出力して均等化動作を停止させる。このように単パルスを均等化動作を停止させるための信号とすることにより、均等化動作を停止させるための信号を生成するインタフェースの駆動時間が短くてすみ、低圧バッテリの消費も抑えることができる。
【図面の簡単な説明】
【００１２】
【図１】本発明の均等化装置の一実施形態を示すブロック図である。
【図２】図１に示す均等化回路の構成を示すブロック図である。
【図３】図１に示す５Ｖ電源低下検出回路の詳細を示す回路図である。
【図４】（１）はシュミット回路の入力、（２）はシュミット回路の出力（Ａ点）、（３）はコンデンサＣ１−トランジスタＴｒ１１間（Ｂ点）、（４）トランジスタＴｒ２１のオンオフ（Ｃ点）、（５）はトランジスタＴｒ２２のオンオフ（Ｄ点）、（６）は高圧側マイコン２５の入力（Ｅ点）のタイムチャートである。
【発明を実施するための形態】
【００１３】
以下、本発明の実施の形態を図面に基づいて説明する。図１に示すように、均等化装置１は、組電池としての高圧バッテリＢＨを構成する互いに直列接続された単位セルＣ１〜Ｃｎの両端電圧を均等化する装置である。単位セルＣ１〜Ｃｎは、本実施形態では１つの二次電池から構成されているが、複数の二次電池から構成されていても良い。上記高圧バッテリＢＨは、例えば、エンジンと電動モータ（何れも図示せず）を走行駆動源として併用するハイブリッド電気自動車において前記電動モータの電源として用いられ、その両端には、上記電動モータが必要に応じて負荷として接続されると共に、オルタネータ等（図示せず）が必要に応じて充電器として接続される。
【００１４】
上記均等化装置１は、均等化回路としての均等化ユニット２と、制御ユニット３と、絶縁インタフェース（Ｉ／Ｆ）４１〜４５と、を備えている。均等化ユニット２は、高圧バッテリＢＨから電源供給を受けて動作する回路である。均等化ユニット２は、単位セルＣ１〜Ｃｎの両端電圧を検出して後述する低圧側マイクロコンピュータ３１（以下低圧側マイコン３１）に送信すると共に低圧側マイコン３１からの指示により単位セルＣ１〜Ｃｎの両端電圧を均等化する装置である。
【００１５】
上記均等化ユニット２の一例を図２を参照して説明する。図２に示す均等化ユニット２は、単位セルＣ１〜Ｃｎの両端を後述する放電抵抗Ｒｄに接続して放電することにより均等化する充電方式の回路である。
【００１６】
均等化ユニット２は、セル選択スイッチ群２１と、切替スイッチ群２２と、差動増幅器２３と、Ａ／Ｄ変換器２４と、放電抵抗Ｒｄと、高圧側マイクロコンピュータ（以下高圧側マイコン）２５と、を備えている。セル選択スイッチ群２１は、単位セルＣ１〜Ｃｎの両端に各々接続された複数のスイッチから構成されている。セル選択スイッチ群２１は、スイッチのオンオフにより単位セルＣ１〜Ｃｎの何れか１つを選択して、その選択した単位セルＣ１〜Ｃｎの両端を後述する差動増幅器２３又は放電抵抗Ｒｄに接続する。
【００１７】
切替スイッチ群２２は、セル選択スイッチ群２１と差動増幅器２３及び放電抵抗Ｒｄとの間に設けられた複数のスイッチから構成されている。切替スイッチ群２２は、スイッチのオンオフにより差動増幅器２３及び放電抵抗Ｒｄの何れか一つを選択して、セル選択スイッチ群２１により選択された単位セルＣ１〜Ｃｎの両端に接続する。
【００１８】
差動増幅器２３は、セル選択スイッチ群２１及び切替スイッチ群２２により接続された単位セルＣ１〜Ｃｎの両端電圧をＡ／Ｄ変換器２４に対して出力する。Ａ／Ｄ変換器２４は、差動増幅器２３からの単位セルＣ１〜Ｃｎの両端電圧をデジタル変換して高圧側マイコン２５に出力する。放電抵抗Ｒｄは、セル選択スイッチ群２１及び切替スイッチ群２２により接続された単位セルＣ１〜Ｃｎを放電するための抵抗である。
【００１９】
高圧側マイコン２５は、周知のＣＰＵ、ＲＯＭ、ＲＡＭなどから構成されている。高圧側マイコン２５は、低圧側マイコン３１の指示に従ってセル選択スイッチ群２１及び切替スイッチ群２２のオンオフを制御して、単位セルＣ１〜Ｃｎの両端電圧を検出したり、単位セルＣ１〜Ｃｎを均等化したりする。
【００２０】
また、図１に示す上記制御ユニット３は、高圧バッテリＢＨよりも電池電圧が低い後述する低圧バッテリとしての１２Ｖ補機バッテリＢＬからの電源供給を受けて動作する回路である。制御ユニット３は、図１に示すように、制御回路としての低圧側マイコン３１と、リセット制御回路３２と、電源回路としての５Ｖ電源３３と、停止回路としての５Ｖ電源低下検出回路３４と、１２Ｖ電源低下検出回路３５と、を備えている。上記の低圧側マイコン３１は、周知のＣＰＵ、ＲＯＭ、ＲＡＭなどから構成されており、上述した均等化ユニット２の制御を行う。
【００２１】
上述した低圧側マイコン３１及び高圧側マイコン２５は、絶縁Ｉ／Ｆ４１、４２を介して互いに絶縁した状態で通信可能に接続されている。上記絶縁Ｉ／Ｆ４１、４２としては、例えばフォトカプラといった光を媒体にしたものや、磁気カプラといった磁気を媒体にしたものが公知である。図２には、絶縁Ｉ／Ｆ４１、４２としてフォトカプラを用いたときの詳細な電気接続図を示す。
【００２２】
同図に示すように、絶縁Ｉ／Ｆ４１は、低圧側マイコン３１側に設けられた発光素子ＬＥ１と、高圧側マイコン２５側に設けられた受光素子ＬＤ１と、を有している。発光素子ＬＥ１及び受光素子ＬＤ１は互いに対向して配置されている。同図に示すように、発光素子ＬＥ１は、一端が低圧側マイコン３１によってオンオフ制御されるトランジスタＴｒ１１を介してグランドに接続され、他端が抵抗を介して後述する５Ｖ電源３３から供給される５Ｖ電圧に接続されている。よって、低圧側マイコン３１がトランジスタＴｒ１１をオンすると、発光素子ＬＥ１に電流が流れて発光する。
【００２３】
一方、受光素子ＬＤ１は、一端が高圧バッテリＢＨから生成した電圧ＶＨに抵抗を介して接続される。この受光素子ＬＤ１の他端が高圧側マイコン２５の入力端子に接続される。よって、受光素子ＬＤ１は、発光素子ＬＥ１からの光を受光するとオンして、高圧側マイコン２５の入力端子に対して電気信号を供給する。以上の構成によれば、低圧側マイコン３１から高圧側マイコン２５に対して電気的に絶縁した状態で電気信号を高圧側マイコン２５に対して送信することができる。
【００２４】
また、絶縁Ｉ／Ｆ４２は、高圧側マイコン２５側に設けられた発光素子ＬＥ２と、低圧側マイコン３１側に設けられた受光素子ＬＤ２と、を有している。同図に示すように、発光素子ＬＥ２は、一端が高圧側マイコン２５によってオンオフ制御されるトランジスタＴｒ１２を介してグランドに接続され、他端が抵抗を介して電圧ＶＨに接続されている。よって、高圧側マイコン２５がトランジスタＴｒ１２をオンすると、発光素子ＬＥ２に電流が流れて発光する。
【００２５】
一方、受光素子ＬＤ２は、一端がグランドに接続され、他端が抵抗を介して５Ｖ電圧に接続される。この受光素子ＬＤ２と抵抗との接続点が低圧側マイコン３１の入力端子に接続される。よって、受光素子ＬＤ２は、発光素子ＬＥ２からの光を受光するとオンして、低圧側マイコン３１の入力端子に対して電気信号を供給する。以上の構成によれば、高圧側マイコン２５から低圧側マイコン２６に対して電気的に絶縁した状態で電気信号を低圧側マイコン３１に対して送信することができる。
【００２６】
上記リセット制御回路３２は、低圧側マイコン３１からの指示に応じて均等化ユニット２の高圧側マイコン２５に対して後述する絶縁Ｉ／Ｆ４３を介して単パルスの停止信号を出力する。そして、上記停止信号が高圧側マイコン２５のリセット端子に供給されるように、上記リセット制御回路３２及び高圧側マイコン２５が絶縁Ｉ／Ｆ４３を介して接続されている。高圧側マイコン２５は、リセット端子に停止信号が供給されると処理を中止し、省電力モードに移行するように設定されている。このリセット制御回路３２及び高圧側マイコン２５は、絶縁Ｉ／Ｆ４３を介して互いに絶縁した状態で通信可能に接続されている。絶縁Ｉ／Ｆ４３としては、例えば上述した絶縁Ｉ／Ｆ４１と同様の構成が考えられるため、ここでは詳細な説明は省略する。
【００２７】
次に、５Ｖ電源３３、５Ｖ電源低下検出回路３４及び１２Ｖ電源低下検出回路３５の構成を説明する前に、上述した低圧側マイコン３１及び高圧側マイコン２５の動作について説明する。まず、低圧側マイコン３１は、例えばイグニッションスイッチのオフに応じて絶縁Ｉ／Ｆ４１を介して高圧側マイコン２５に対して各単位セルＣ１〜Ｃｎの両端電圧の検出を指示する電気信号を出力する。これに応じて高圧側マイコン２５は、低消費電力モードを解除して切替スイッチ群２２を差動増幅器２３側に接続すると共にセル選択スイッチ群２１を制御して単位セルＣ１〜Ｃｎの両端電圧を順次、差動増幅器２３に接続する。これにより、Ａ／Ｄ変換器２４から高圧側マイコン２５に対して単位セルＣ１〜Ｃｎの両端電圧が順次入力される。高圧側マイコン２５は、この入力された単位セルＣ１〜Ｃｎの両端電圧を絶縁Ｉ／Ｆ４２を介して低圧側マイコン３１に対して送信する。
【００２８】
低圧側マイコン３１は、高圧側マイコン２５から送信された単位セルＣ１〜Ｃｎの両端電圧に基づいて単位セルＣ１〜Ｃｎの両端電圧にバラツキが生じているか否かを判断する。低圧側マイコン３１は、バラツキが生じていないと判断すると、リセット制御回路３２から停止信号を出力される。これにより、高圧側マイコン２５のリセット端子に対して停止信号が供給され、高圧側マイコン２５が低消費電力モードに移行する。
【００２９】
一方、低圧側マイコン３１は、バラツキが生じていると判断すると、単位セルＣ１〜Ｃｎを放電抵抗Ｒｄに接続して放電を開始させる放電開始指示、放電を終了させる放電停止指示を高圧側マイコン２５に対して順次送信をする。高圧側マイコン２５は、低圧側マイコン３１からの放電開始指示が送信されると切替スイッチ群２２を放電抵抗Ｒｄ側に接続すると共にセル選択スイッチ群２１を制御して指示された単位セルＣ１〜Ｃｎの放電抵抗Ｒｄに接続して放電させる。また、高圧側マイコン２５は、低圧側マイコン３１からの放電終了指示が送信されると切替スイッチ群２２及びセル選択スイッチ群２１をオフにして放電を終了させる。この放電により単位セルＣ１〜Ｃｎの両端電圧を均等化することができる。
【００３０】
次に、５Ｖ電源３３、５Ｖ電源低下検出回路３４及び１２Ｖ電源低下検出回路３５の構成を説明する。上記５Ｖ電源３３は、１２Ｖ補機バッテリＢＬの１２Ｖ電池電圧から低圧側マイコン３１の５Ｖ電源電圧を生成して、低圧側マイコン３１、５Ｖ電源低下検出回路３４及び１２Ｖ電源低下検出回路３５に対して供給する電源回路である。
【００３１】
また、上記５Ｖ電源低下検出回路３４は、５Ｖ電源３３から出力される５Ｖ電源電圧の低下を検出すると均等化ユニット２の高圧側マイコン２５に対して単パルスの停止信号を出力する回路である。そして、上記停止信号が高圧側マイコン２５のリセット端子に供給されるように、上記５Ｖ電源低下検出回路３４及び高圧側マイコン２５が絶縁Ｉ／Ｆ４４を介して接続されている。
【００３２】
以下、上記５Ｖ電源低下検出回路３４の詳細な構成について図３を参照して説明する。５Ｖ電源低下検出回路３４は、シュミット回路３４１と、コンデンサＣ１と、ダイオードＤ１と、フィルタ３４２と、トランジスタＴｒ２１と、トランジスタＴｒ２２と、を備えている。
【００３３】
シュミット回路３４１は、入力に５Ｖ電源３３から出力される５Ｖ電源電圧が供給されている。シュミット回路３４１は、入力が第１閾値を下回ると出力がＬｏレベルとなり、その後入力が第１閾値よりも大きい第２閾値を上回ると出力がＨｉレベルに戻るヒステリシスコンパレータである。フィルタ３４２は、抵抗Ｒと、コンデンサＣ２と、から構成されていて、電源ラインのノイズを除去する。
【００３４】
トランジスタＴｒ２１は、ｐｎｐ型のトランジスタである。トランジスタＴｒ２１は、ベースがコンデンサＣ１、抵抗を介してシュミット回路３４１の出力に接続され、エミッタが１２Ｖ補機バッテリＢＬに接続されている。トランジスタＴｒ２２は、ｎｐｎ型のトランジスタである。トランジスタＴｒ２２は、ベースが抵抗を介してトランジスタＴｒ２１のコレクタに接続されている。トランジスタＴｒ２２は、エミッタが接地され、ベース及びエミッタ間は抵抗を介して接続されている。トランジスタＴｒ２２のコレクタは、絶縁Ｉ／Ｆ４４を構成する発光素子ＬＥ４及び抵抗を介して１２Ｖ補機バッテリＢＬに接続されている。
【００３５】
上述した５Ｖ電源低下検出回路３４の動作について図４のタイムチャートを参照して以下説明する。５Ｖ電源３３からの出力電圧が十分高く第１閾値よりも大きいときは、シュミット回路３４１からはＨｉレベルが出力されている。シュミット回路３４１からＨｉレベルが出力されている間は、トランジスタＴｒ２１はオフとなり、トランジスタＴｒ２２もオフとなる。トランジスタＴｒ２２がオフの間は発光素子ＬＥ４は通電されず、高圧側マイコン２５には停止信号が送信されない。
【００３６】
そして、５Ｖ電源３３からの出力電圧が徐々に低くなって第１閾値を下回ると、シュミット回路３４１からはＬｏレベルが出力される。シュミット回路３４１からＬｏレベルが出力されると、トランジスタＴｒ２１はオンとなり、トランジスタＴｒ２２もオンとなる。トランジスタＴｒ２２がオンすると、発光素子ＬＥ４が通電され、高圧側マイコン２５に対して停止信号が送信される。
【００３７】
また、シュミット回路３４１出力がＨｉレベルからＬｏレベルに切り替わると、コンデンサＣ１の充電が始まり、トランジスタＴｒ２１はオンとなり、トランジスタＴｒ２２もオンとなる。そして、コンデンサＣ１の充電が進みＢ点の電圧が第３閾値を上回ると、トランジスタＴｒ２１をオンさせるのに必要なバイアス電圧が印加されず、トランジスタＴｒ２１はオフとなり、トランジスタＴｒ２２もオフとなる。このトランジスタＴｒ２２のオフにより、発光素子ＬＥ４の通電が停止され、高圧側マイコン２５に対して停止信号の送信が停止される。即ち、５Ｖ電源低下検出回路３４は、５Ｖ電源３３から出力される５Ｖ電源電圧の低下を検出すると単パルスの停止信号を均等化ユニット２の高圧側マイコン２５に対して出力する。高圧側マイコン２５は、リセット端子に停止信号が入力されると均等化が終わっていなくても直ちにセル選択スイッチ群２１のスイッチをオフして放電状態を解除し、省電力消費モードに移行する。この省電力消費モードにおいて高圧側マイコン２５は、低圧側マイコン３１との通信を行わないようにする。そして、再び制御ユニット３側が正常になったときに送信される覚醒信号を待つのみの状態になる。これにより、均等化ユニット２を超低消費電力状態にして高圧バッテリＢＨが消費されないようになる。その後、制御ユニット３側が正常に戻り低圧側マイコン３１から覚醒信号が送信されると、省電力消費モードから通常モードに戻って高圧側マイコン２５は低圧側マイコン３１と通信を開始する。
【００３８】
また、上記１２Ｖ電源低下検出回路３５は、１２Ｖ補機バッテリＢＬから出力される１２電池電圧の低下を検出すると均等化ユニット２の高圧側マイコン２５に対して単パルスの停止信号を出力する回路である。そして、上記停止信号が高圧側マイコン２５のリセット端子に供給されるように、上記１２Ｖ電源低下検出回路３５及び高圧側マイコン２５が絶縁Ｉ／Ｆ４５を介して接続されている。この１２Ｖ電源低下検出回路３５の構成は、５Ｖ電源低下検出回路３４と同様な構成などが考えられる。
【００３９】
上述した均等化装置１によれば、５Ｖ電源低下検出回路３４が、５Ｖ電源３３から出力される５Ｖ電源電圧の低下を検出すると均等化ユニット２による均等化動作を停止させるので、５Ｖ電源３３から出力される低圧側マイコン３１の５Ｖ電源電圧の低下があったときに均等化ユニット２の誤動作を防止して、高圧バッテリＢＨに生じる過放電を防止できる。これにより、５Ｖ電源３３から出力される低圧側マイコン３１の電源電圧が低下して低圧側マイコン３１により正常な制御ができなくなることに対して適切に対処することができる。
【００４０】
ところで、上述した均等化装置１は、１２Ｖ補機バッテリＢＬの充電状態が高いにも関わらず５Ｖ電源３３の故障などにより５Ｖ電源３３から出力される５Ｖ電源電圧のみが低下することもある。上述した均等化装置１によれば、低圧側マイコン３１の動作電源である５Ｖ電源３３から出力される５Ｖ電源電圧そのものを監視していることにより、１２Ｖ補機バッテリＢＬから出力される１２Ｖ電源電圧の充電状態に係らず低圧側マイコン３１が動作不能となる前に確実に均等化動作を停止することができる。
【００４１】
また、上述した均等化装置１によれば、５Ｖ電源低下検出回路３４が、５Ｖ電源３３から出力される５Ｖ電源電圧の低下を検出すると単パルスの停止信号を生成して均等化ユニット２に対して出力して均等化動作を停止させる。このように単パルスを均等化動作を停止させるための停止信号とすることにより、停止信号を生成する絶縁Ｉ／Ｆ３３の駆動時間が短くてすみ、１２Ｖ補機バッテリＢＬの消費も抑えることができる。
【００４２】
なお、上述した実施形態によれば、５Ｖ電源低下検出回路３４は５Ｖ電源電圧の低下を検出すると単パルスの停止信号を生成しているが、本発明はこれに限ったものではない。１２Ｖ補機バッテリＢＬの消費を抑える必要がなければ、５Ｖ電源電圧低下の検出に応じてＨレベル、又は、Ｌレベルとなる停止信号を生成するようにしてもよい。
【００４３】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４４】
１  均等化装置
２  均等化ユニット（均等化回路）
３１  低圧側マイコン（制御回路）
３３  ５Ｖ電源（電源回路）
３４  ５Ｖ電源低下検出回路（停止回路）
ＢＨ  高圧バッテリ（組電池）
ＢＬ  １２Ｖ補機バッテリ（低圧バッテリ）
Ｃ１〜Ｃｎ  単位セル
【図１】
2010263733.tif 000003
【図２】
2010263733.tif 000004
【図３】
2010263733.tif 000005
【図４】
2010263733.tif 000006